(57)【特許請求の範囲】
【請求項１】
シートを排出するシート排出手段と、
前記シート排出手段によって排出されたシートが積載されるシート積載手段と、
前記シート積載手段に排出されたシートを排出方向に対して交差する方向に移動させる移動手段と、
前記移動手段の前記交差する方向への移動を制御する制御手段と、を備え、
前記移動手段は、前記交差する方向の第１の方向と、前記第１の方向とは逆の第２の方向と、にシートを選択的に移動させることが可能であって、
前記制御手段は、シートが前記排出方向に沿った側端の近くに孔が形成された穿孔シートであるとの情報に基づいて、前記シート積載手段に穿孔シートが積載される度に、前記移動手段を所定距離前記第１の方向に移動させることによって所定枚数の穿孔シートを前記第１の方向に移動させた後、前記移動手段を前記第２の方向に移動させることによって該穿孔シートを所定位置に移動させる、
ことを特徴とするシート処理装置。
【請求項２】
前記所定距離とは、穿孔シートが前記移動手段により前記交差する方向に移動させられた場合に該穿孔シートの孔に前記排出手段により排出されるシートの角部が係合しない距離である、
ことを特徴とする請求項１に記載のシート処理装置。
【請求項３】
前記所定距離とは、穿孔シートの側端部の孔が形成された領域幅を超えた距離である、
ことを特徴とする請求項１に記載のシート処理装置。
【請求項４】
前記制御手段は、前記移動手段により所定枚数の穿孔シートを前記第１の方向に移動させた後、前記交差する方向の中心位置に穿孔シートの幅中心が一致するように、前記移動手段により該所定枚数の穿孔シートを移動させることが可能である、
ことを特徴とする請求項１乃至３のいずれか１項に記載のシート処理装置。
【請求項５】
シートに画像を形成する画像形成部と、
請求項１乃至４のいずれか１項に記載のシート処理装置と、を備えた、
ことを特徴とする画像形成装置。
【発明の詳細な説明】
【技術分野】
【０００１】
本発明は、孔のあけられた穿孔シートを積載して処理するシート処理装置と、このシート処理装置を備えた画像形成装置とに関する。
【背景技術】
【０００２】
従来、シートに画像を形成する複写機、プリンタ、ファクシミリ、及びこれらの複合機等の画像形成装置は、画像形成部で画像を形成したシートを一旦処理トレイに順次積載して幅整合して排出するシート処理装置を備えている場合がある（特許文献１）。
【先行技術文献】
【特許文献】
【０００３】
【特許文献１】特開２００３−２３８０２１号公報
【発明の概要】
【発明が解決しようとする課題】
【０００４】
ところで、従来のシート処理装置は、シートのシート搬送方向に沿った側端の近くにファイリング用の孔があいている穿孔シートを幅整合する場合でも、処理トレイに積載された先行の穿孔シート上に後続のシートを重ねて積載するようになっている。
【０００５】
ところが、後続のシートは、先行の穿孔シートの上に排出されるとき、後続のシートの先端が先行の穿孔シートの上を滑りながら排出され、先行の穿孔シートに重ねて積載される。このため、後続のシートの先端が先行の穿孔シートの孔に引っ掛かり、後続のシートが先行の穿孔シートを処理トレイから押し出すことがあった。
【０００６】
特に、後続のシートの先端が穿孔シート側にカールしている場合や、穿孔シートの孔の縁に孔をあけたときのばりが出ている場合には、後続のシートの先端が穿孔シートの孔に引っ掛かり易かった。また、穿孔シートの孔に引っ掛かった後続のシートの先端の角部が折れ曲がることもあった。
【０００７】
このため、従来のシート処理装置は、穿孔シートを幅整合して排出するのが困難であった。
【０００８】
本発明は、先行の穿孔シートの孔に後続のシートが引っ掛かるのを防止して、穿孔シートの幅整合を容易に行うことができるシート処理装置と、このシート処理装置を備えた画像形成装置とを提供することにある。
【課題を解決するための手段】
【０００９】
本発明のシート処理装置は、シートを排出するシート排出手段と、前記シート排出手段によって排出されたシートが積載されるシート積載手段と、前記シート積載手段に排出されたシートを排出方向に対して交差する方向に移動させる移動手段と、前記移動手段の前記交差する方向への移動を制御する制御手段と、を備え、前記移動手段は、前記交差する方向の第１の方向と、前記第１の方向とは逆の第２の方向と、にシートを選択的に移動させることが可能であって、前記制御手段は、シートが前記排出方向に沿った側端の近くに孔が形成された穿孔シートであるとの情報に基づいて、前記シート積載手段に穿孔シートが積載される度に、前記移動手段を所定距離前記第１の方向に移動させることによって所定枚数の穿孔シートを前記第１の方向に移動させた後、前記移動手段を前記第２の方向に移動させることによって該穿孔シートを所定位置に移動させる、ことを特徴としている。
【００１０】
本発明の画像形成装置は、シートに画像を形成する画像形成部と、上記のシート処理装置と、を備えた、ことを特徴としている。
【発明の効果】
【００１１】
本発明のシート処理装置は、積載手段に穿孔シートが積載される度に、穿孔シートを幅方向に移動させ、シート積載手段に先に積載された穿孔シートの孔にシート積載手段に排出される後続のシートの先端の角部が係合するのを回避するようになっている。このため、本発明のシート処理装置は、後続のシートが先に排出されている穿孔をシート積載手段から落下させることを防止することができる。また、後続のシートの角部が穿孔シートの孔に引っ掛かって折れ曲がることを防止することができる。
【図面の簡単な説明】
【００１２】
【図１】本発明の実施形態のシート処理装置としてのフィニッシャを備えた本発明の実施形態の画像形成装置のシート搬送方向に沿った断面図である。
【図２】図１のフィニッシャのシート搬送方向に沿った断面図である。
【図３】図１のフィニッシャにおける処理トレイの分解斜視図である。
【図４】図１のフィニッシャの制御ブロック図である。
【図５】図１のフィニッシャのシートの幅整合動作説明用のフローチャートである。
【図６】図５に続くフィニッシャのシートの幅整合動作説明用のフローチャートである。
【図７】孔のあいていないシートを、幅整合位置Ａにノンソート処理をする場合のフィニッシャの動作説明用の図であり、幅整合位置Ａと幅整合位置Ｂとにソート処理をする場合の動作説明用の図である。
【図８】孔のあいていないシートを、ステイプル処理をする場合のフィニッシャの動作説明用の図である。
【図９】穿孔シートを幅整合位置Ｅにノンソート処理及びソート処理をする場合のフィニッシャの動作説明用の図である。
【図１０】穿孔シートを幅整合位置Ｆにソート処理をする場合のフィニッシャの動作説明用の図である。
【図１１】穿孔シートを幅整合位置Ｃ，Ｄでステイプル処理をする場合のフィニッシャの動作説明用の図である。
【発明を実施するための形態】
【００１３】
以下、本発明の実施形態のシート処理装置と、このシート処理装置を備えた画像形成装置とを図面に基づいて説明する。
【００１４】
なお、本実施形態において、シートの幅とは、シート搬送方向に対して交差する方向のことを言う。また、本実施形態における数値は、参考数値であって、本発明を限定する数値ではない。
【００１５】
図１は、本発明の実施形態のシート処理装置を備えた本発明の実施形態の画像形成装置のシート搬送方向に沿った断面図である。
【００１６】
画像形成装置としての電子写真方式の複写機１００は、装置本体１０１とシート処理装置としてのフィニッシャ１１９とで構成されている。装置本体１０１の上部には、原稿給送装置１０２が装備されている。
【００１７】
ユーザによって原稿給送装置１０２の原稿載置部１０３に載置された原稿Ｇは、給送部１０４により１枚ずつに順次分離されてレジストローラ対１０５に搬送される。続いて、原稿Ｇは、レジストローラ対１０５によって一旦停止され、ループを形成させられて斜行を矯正され、真っ直ぐになる。真っ直ぐに矯正された原稿Ｇは、導入パス１０６を通り、読取位置１０８を通過することで、画像を読み取られる。読取位置１０８を通過した原稿Ｇは、排出パス１０７を通過して、排出トレイ１０９に排出される。
【００１８】
原稿Ｇの表裏両面に画像が形成されて、両面の画像を読み取る場合、原稿Ｇは、上記のように読取位置１０８を通過して一方の画像を読み取られる。その後、原稿Ｇは、排出パス１０７を通り、反転ローラ対１１０によってスイッチバック搬送されて、表裏反転された後、再度レジストローラ対１０５に送られる。そして、原稿Ｇは、一方の面の画像を読み取ったときと同様にして、レジストローラ対１０５で斜行を矯正されて、導入パス１０６を通り、読取位置１０８で他方の面の画像を読み取られる。最後、原稿Ｇは、排出パス１０を通り、排出トレイ１０９に排出される。
【００１９】
一方、読取位置１０８を通過する原稿には照明系１１１から光が照射される。この原稿から反射した反射光は、ミラー１１２によって光学素子１１３（ＣＣＤあるいは他の素子）に導かれて、画像データに変換され、さらに、レーザスキャナ１２１によって、レーザ光に変換される。レーザスキャナ１２１は、予め帯電されている感光体ドラム１１４にレーザ光を照射する。すると、感光体ドラム１１４の外周に潜像が形成される。潜像は、トナー現像器１２２によってトナー現像されてトナー画像となり可視像化される。
【００２０】
なお、感光体ドラム１１４、トナー現像器１２２等は、画像形成部１２４を構成している。
【００２１】
一方、このトナー画像形成動作に伴って、カセット１１５に積載された紙あるいはプラスチックフィルム等のシートＰが、カセット１１５から送り出されてレジストローラ対１２３によって斜行を矯正された真っ直ぐになる。その後、シートＰは、レジストローラ対１２３によって、感光体ドラム１１４のトナー画像の位置に合わせられて、感光体ドラム１１４と転写器１１６との間に給送される。そして、シートＰは、転写器１１６によって感光体ドラム１１４上のトナー画像を転写される。トナー画像を転写されたシートは、定着器１１７を通過する間に加熱、加圧されてトナー画像を定着される。
【００２２】
なお、シートの両面にトナー画像を形成する場合、片面にトナー画像が定着されたシートは、定着器１１７の下流側に設けられた両面パス１１８を案内されて、再度感光体ドラム１１４と転写器１１６との間に送り込まれ、裏面にもトナー画像を転写される。そして、定着器１１７で裏面のトナー画像が定着されて、フィニッシャ１１９に排出される。
【００２３】
以上の説明において、原稿は、装置本体１０１の上部に載置して照明系１１１の光を照射することで読み取ることができるので、原稿給送装置１０２は、必ずしも必要としない。
【００２４】
図２は、本発明の実施形態におけるシート後処理装置としてのフィニッシャのシート搬送方向に沿った断面図である。図３は、処理トレイの分解斜視図である。
【００２５】
フィニッシャ１１９は、装置本体１０１から排出されたシートを順に複数枚取り込み、整合して束状にするソート処理、ノンソート処理、束ねたシート束をステイプラで綴じるステイプル処理、製本処理などの少なくとも１つのシート処理を行うようになっている。このため、フィニッシャ１１９は、折り装置４００、処理部５００等を備えている。
【００２６】
処理部５００は、装置本体１０１から搬送されたシートを内部に導く入口ローラ対５０２が設けられている。入口ローラ対５０２の下流には、シートをノンソートモード及びソートモードの際にはソートパス５５２に、製本モードの際には製本パス５５３に導くための案内部材５５１が設けられている。
【００２７】
案内部材５５１によりソートパス５５２に導かれたシートは、中間排出ローラ対５５４によって、処理トレイ（中間トレイ）６３０上に排出される。このとき、シートは、排紙搬送ローラ対５６０の所定量の正回転によって一旦下流に搬送された後、逆回転によって上流に搬送されて後端ストッパ６５０ｂ、６５０ｃ（図３）に後端を当接されて後端を整合される。処理トレイ６３０にシートが積載されるとき、排紙搬送ローラ対５６０(図３)の上ローラ５６０ａは、上昇して下ローラ５６０ｂから離れて、シートを下ローラ５６０ｂとの間に受け入れる。その後、上ローラ５６０ａは、下降して下ローラ５６０ｂとでシートを挟持して正回転し、逆回転する。上ローラ５６０ａは、この動作をシートが処理トレイ６３０に排出される度に行う。
【００２８】
そして、シートは、幅整合板６４１ａ，６４１ｂ(図３)によって幅整合される。手前幅整合板６４１ａは、不図示の回転力伝達機構を介して手前整合モータ６４１Ｍａの回転によって、シートの幅方向に移動するようになっている。奥幅整合板６４１ｂも、不図示の回転力伝達機構を介して奥整合モータ６４１Ｍｂの回転によって、シートの幅方向に移動するようになっている。この幅整合板６４１ａ，６４１ｂによるシートの幅整合については、後述する。
【００２９】
処理トレイ上に束状に積載されたシートは、必要に応じてステイプラ６０１によってステイプル処理されて、排紙搬送ローラ対５６０の回転と、後端ストッパ６５０ａ（図３）の矢印Ｘ方向への移動とにより、スタックトレイ（１８ａ又は１８ｂ）に排出される。
【００３０】
折り装置４００は、製本処理をする装置であり、シートの幅方向に配列された２つのステイプラ８１８、シート束を折る折りローラ対８２６及び突き出し部材８２５等を備えている。
【００３１】
案内部材５５１によって製本パス５５３に案内されたシートは、収納ガイド８２０に収納されて、先端（下端）が昇降自在な位置決め部材８２３に受け止められて積載される。シートは、位置決め部材８２３に順次積載されて束状になる。シートは、束状になると、２つのステイプラ８１８（図２では、重なって１つに見えている）によって中綴じされる。
【００３２】
その後、位置決め部材８２３は、シート束の綴じられた部分が突き出し部材８２５の先端に対向する位置まで下降する。その後、突出し部材８２５が収納ガイド８２０に収納されているシート束の綴じられた部分を突いて、折りローラ対８２６のニップに押し込む。折りローラ対８２６は、回転して、シート束を搬送しながら折り曲げて、サドル排出トレイ８３２に排出する。これによって、製本処理が終了する。
【００３３】
上スタックトレイ１８ａと下スタックトレイ１８ｂ（図２）は、上トレイモータ２０９ａと下トレイモータ２０９ｂによってフィニッシャ本体１１９Ａに沿って昇降するようになっている。上トレイモータ２０９ａと下トレイモータ２０９ｂは、ピニオンギヤ２２５を回転させて、ピニオンギヤ２２５と支柱３７の一部に形成されている不図示のラックとの噛み合いによって、上スタックトレイ１８ａと下スタックトレイ１８ｂとを昇降させる。上スタックトレイ１８ａと下スタックトレイ１８ｂは、積載されるシートが増えるにしたがって下降し、積載したシートで、シートが排出される排出部３６を塞がないようにしている。
【００３４】
図４は、フィニッシャ１１９の制御ブロック図である。
【００３５】
ＣＰＵ９００は、ＲＯＭ９０１に記憶されているデータと、ＲＡＭ９０２に一時的に記憶される情報とに基づいて、フィニッシャ１１９内の各モータ、ソレノイド、クラッチ等を制御するようになっている。この場合、ＣＰＵ９００は、画像形成装置の装置本体１０１内に設けられて、装置本体１０１を制御するＣＰＵ９０４と情報の交換をしながら、フィニッシャ１１９を制御するようになっている。なお、ＣＰＵ９００，９０４は、いずれか一方が他方に組み込まれていてもよい。
【００３６】
ＣＰＵ９００に信号を入力するセンサとしては、入口パスセンサ、搬送パスセンサ、上部トレイ待避センサ、下部トレイ下限センサ、紙面検知センサ、下紙面検知センサ、上部トレイ紙検知センサ、下部トレイ紙検知センサがある。さらに、各種ＨＰ（ホームポジション）検知センサ、ステイプル干渉センサ、上部トレイ下限センサ、上カバーセンサ、前カバーセンサ、下部トレイ下限前センサなどがある。
【００３７】
また、ＣＰＵ９００が制御する駆動部として、入口搬送モータ、束だしモータ、揺動モータ、手前整合モータ６４１Ｍａ、奥整合モータ６４１Ｍｂ、後端アシストモータ、上トレイモータ２０９ａ、下トレイモータ２０９ｂ、ギアチェンジモータがある。さらに、ステイプラモータ、ステイプラシフトモータ、入口ローラ離間ＳＬ（ソレノイド）、バッファローラ離間ＳＬ、第一排紙ローラ離間ＳＬ、バッファ紙押さえＳＬ、束下クラッチ、シャッタクラッチなどがある。
【００３８】
図５、図６は、フィニッシャ１１９のシートの幅整合動作説明用のフローチャートである。図５、図６に示すフローチャートにしたがった動作手順は、ＲＯＭ９０１に記憶されており、ＣＰＵ９０１は、ＲＯＭ９０１に記憶されている動作手順にしたがって、フィニッシャ１１９を制御するようになっている。図７乃至図１１は、フィニッシャ１１９のシートの幅整合動作説明用の図である。
【００３９】
孔のあいていないシートを、ノンソート処理をする動作を説明する。
【００４０】
ＣＰＵ９００は、装置本体１０１よりフィニッシャ１１９に後処理モード、シート情報が通知されるまで待機している（Ｓ９０１）。シートは、案内部材５５１(図２)によりソートパス５５２に導かれて、シート排出手段としての中間排出ローラ対５５４によって処理トレイ６３０に排出される。このとき、シートは、排紙搬送ローラ対５６０の正回転によって処理トレイ６３０に図７の符号Ｍの位置を経て、処理トレイ６３０上を所定量だけ下流に搬送される。
【００４１】
そして、シートは、排紙搬送ローラ対５６０の逆回転により上流に搬送されて後端ストッパ６５０ｂ，６５０ｃ(図３)に後端を当接され、符号Ａ（図７）で示す位置に停止して、後端整合される。符号Ａで示す位置は、ソートパス５５２をセンタ中心で搬送されてきたシートが処理トレイ６３０の幅中心ＣＬに一致して積載される位置である。言い換えれば、符号Ａで示す位置は、センタ中心で搬送されてきたシートが、手前幅整合板６４１ａ及び奥幅整合板６４１ｂにより幅整合をされずに、後端整合された位置である。
【００４２】
ＣＰＵ９００は、受けたシート情報が（Ｓ９０１でＹＥＳ）、プレパンチシート（穿孔シート）でなく（Ｓ９０２でＮＯ）、かつノンソートモードであるので（Ｓ９０５、Ｓ９１１）、手前整合モータ６４１Ｍａ(図３)と奥整合モータ６４１Ｍｂとを制御する。移動部材としての一対の手前幅整合板６４１ａ及び奥幅整合板６４１ｂは、図７の実線の待機位置から互いに接近して、図７のＡの幅整合位置にシートの幅整合をし、その後、次のシートを受け入れるため、幅整合位置Ａから離れる。
【００４３】
ＣＰＵ９００は、搬送されたシートが所定枚数の最終シートまで、シートを幅整合位置Ａに幅整合し、最終シートを確認すると（Ｓ９１９でＹＥＳ）、ステイプル処理の有無を確認する（Ｓ９２０）。なお、幅整合は、シートが処理トレイ６３０に積載される度に行ってもよいし、最終シートが積載されたとき、それまでに積載されたシートをまとめて行ってもよい。ＣＰＵ９００は、Ｓ９０１のシート情報にステイプル処理が無いため（Ｓ９２０でＮＯ）、排紙搬送ローラ対５６０(図３)の回転制御と、後端ストッパ６５０ａの矢印Ｘ方向への移動制御とを行う。この結果、幅整合位置Ａに幅整合されているシート束は、上スタックトレイ１８ａと下スタックトレイ１８ｂのいずれ一方に排出される（Ｓ９２５）。
【００４４】
ＣＰＵ９００は、孔をあけられていないシートのノンソート処理をジョブが終了するまで繰り返して行い、ジョブの終了にともなって制御を終了する（Ｓ９２６でＹＥＳ）。
【００４５】
孔のあいていないシートを、ソート処理をする動作を説明する。
【００４６】
ＣＰＵ９００は、孔のあいていないシートをノンソート処理するときと同様に、処理トレイ６３０に積載したシートを、図７の符号Ａで示す位置に後端整合する。
【００４７】
ＣＰＵ９００は、受けたシート情報が（Ｓ９０１でＹＥＳ）、プレパンチシートでなく（Ｓ９０２でＮＯ）、かつソートモードで（Ｓ９０５、Ｓ９０７）、手前整合であるので（Ｓ９１３）、シートをＡの幅整合位置に幅整合する。なお、幅整合位置Ａを、手前整合と称するのは、後述する幅整合位置Ｂよりも手前であるからである。
【００４８】
ＣＰＵ９００は、孔のあいていないシートをノンソート処理するときと同様に、手前幅整合板６４１ａと奥幅整合板６４１ｂとを作動させて、処理トレイ６３０に積載されるシートが最終シートになるまで、Ａの幅整合位置に幅整合する。そして、ＣＰＵ９００は、シートが最終シートになると（Ｓ９１９でＹＥＳ）、幅整合位置Ａに積載されているシート束をステイプル処理することなく（Ｓ９２０でＮＯ）、上スタックトレイ１８ａと下スタックトレイ１８ｂのいずれ一方に排出する（Ｓ９２５）。
【００４９】
しかし、シートの処理がソート処理であり、幅整合位置Ｂ(Ｓ９１５、図７)に幅整合する処理が残っている（Ｓ９２６でＮＯ）。このため、ＣＰＵ９００は、Ｓ９０１，Ｓ９０２，Ｓ９０５、Ｓ９０７を経てＳ９１５において、図７に示す幅整合位置Ｂにシートを幅整合する。
【００５０】
この場合、ＣＰＵ９００は、シートが処理トレイ６３０の符号Ａで示す領域に積載される度に、手前幅整合板６４１ａを幅整合位置Ａと幅整合位置Ａから２０ｍｍだけ処理トレイ６３０の幅中心ＣＬに接近したＢの幅整合位置とを往復移動させる。これにともなって、奥幅整合板６４１ｂを幅整合位置Ｂから離れた位置と幅整合位置Ｂとを往復移動させる。このため、手前幅整合板６４１ａと奥幅整合板６４１ｂは、シートを幅整合位置Ｂに挟持して幅整合することができる。
【００５１】
ＣＰＵ９００は、最終シートまで（Ｓ９１９でＹＥＳ）シートを幅整合位置Ｂに幅整合して、Ｓ９２０でＮＯ、Ｓ９２５、Ｓ９２６でＹＥＳになったとき、ソート処理を終了する。
【００５２】
この結果、スタックトレイ(１８ａ又は１８ｂ)に、幅整合位置Ａで幅整合されたシート束と幅整合位置Ｂに幅整合されたシート束とが、幅方向に互いに２０ｍｍ位置をずれてオフセット積載される。
【００５３】
孔のあいていないシートを、ステイプル処理をする動作を説明する。
【００５４】
ＣＰＵ９００は、孔のあいていないシートをノンソート処理するときと同様に、処理トレイ６３０に積載したシートを符号Ａで示す位置に後端整合する。
【００５５】
ＣＰＵは、シート情報を受けて（Ｓ９０１でＹＥＳ）、シート情報がプレパンチシートでなく（Ｓ９０２でＮＯ）、かつステイプルモードで（Ｓ９０５、Ｓ９０８）、図８のＣの幅整合位置で手前綴じするので（Ｓ９１７）、奥整合モータ６４１Ｍｂを制御する。
【００５６】
図８において、手前幅整合板６１４ａと奥幅整合板６４１ｂは、実線の位置に待機している。シートは、符号Ｍで示す位置を経て符号Ａで示すに積載される。その後、手前幅整合板６４１ａが待機位置に停止したままで、奥幅整合板６４１ｂが処理トレイの幅中心ＣＬを超えて破線で示す位置に移動して、シートを手前幅整合板６４１ａに押し付けて停止する。
【００５７】
なお、一対の手前幅整合板６４１ａ及び奥幅整合板６４１ｂは、ＣＰＵ９００の制御によって、幅整合位置に応じて、シートの幅方向の両方向に選択的に移動するようになっている。
【００５８】
その後、奥幅整合板６４１ｂは、次のシートを受け入れるため整合位置Ｃ、Ａから離れた位置に移動する。ＣＰＵ９００は、最終のシート（Ｓ９１９でＹＥＳ）まで、この制御を繰り返してシートを幅整合位置Ｃに幅整合する。そして、ＣＰＵ９００は、ステイプラ６０１を図８において左側に移動させて、シート束の上流左角部を綴じる（Ｓ９２０でＹＥＳ、Ｓ９２４）。そして、排紙搬送ローラ対５６０（図３）と後端ストッパ６５０ａとが綴じられたシート束を幅整合位置Ｂからスタックトレイ１８ａ，１ｂ８ｂのいずれか一方に排出する。ＣＰＵは、以上の制御をジョブが終了するまで（Ｓ９２６でＹＥＳ）繰り返す。
【００５９】
ＣＰＵは、Ｓ９０８において、図８のＤの幅整合位置（Ｓ９１８）で奥綴じ、或いは、後端の２箇所綴じをする場合、手前整合モータ６４１Ｍａを制御する。図８において、手前幅整合板６１４ａと奥幅整合板６４１ｂは、実線の位置に待機している。シートは、符号Ｍで示す位置を経て符号Ａで示す位置で後端整合される。その後、奥幅整合板６４１ｂが待機位置に停止したままで、手前幅整合板６４１ａが処理トレイの幅中心ＣＬを超えて破線で示す位置に移動して、シートを奥幅整合板６４１ｂに押し付けて停止する。その後、手前幅整合板６４１ａは、次のシートを受け入れるため整合位置Ｄ、Ａから離れた位置に移動する。ＣＰＵ９００は、最終のシート（Ｓ９１９）まで、この制御を繰り返してシートを幅整合位置Ｄに幅整合する。そして、ＣＰＵ９００は、ステイプラ６０１を図８において右側に移動させて、シート束の角部を綴じる（Ｓ９２０でＹＥＳ、Ｓ９２４）。或いは、シート束の後端を２箇所綴じする。そして、排紙搬送ローラ対５６０（図３）と後端ストッパ６５０ａとが綴じられたシート束を幅整合位置Ｄからスタックトレイ１８ａ，１８ｂのいずれか一方に排出する。
【００６０】
孔のあいた穿孔シートを、ノンソート処理をする動作を説明する。
【００６１】
なお、穿孔シートは、画像形成装置の装置本体１０１内、或いはフィニッシャ１１９内で不図示の穿孔装置によって穿孔されているものとする。
【００６２】
ＣＰＵ９００は、処理Ｓ９０１，Ｓ９０２，Ｓ９０３において、孔のあいた穿孔シートＰｈが短辺を先頭に搬送されてきたとき、ＣＰＵ９００のパンチ孔回避制御フラグをＯＮにする（Ｓ９０４）。そして、ＣＰＵ９００は、処理９３１においてシート情報がノンソート処理であるので、穿孔シートを図９の符号Ｍで示す位置を経て符号Ａの位置で後端整合した後、Ｅの幅整合位置に幅整合する。すなわち、ＣＰＵ９００は、手前整合モータ６４１Ｍａ(図３)を制御して、手前幅整合板６４１ａを実線の待機位置から破線の整合位置に移動させる。また、ＣＰＵ９００は、奥整合モータ６４１Ｍｂ(図３)を制御して、奥幅整合板６４１ｂを実線の待機位置から破線の幅整合位置に移動させる。この結果、穿孔シートは、幅整合位置Ａよりも、左に３０ｍｍ離れたＥの幅整合位置に幅整合される。
【００６３】
Ｅの幅整合位置は、後続の穿孔シートがＭ、Ａの位置に排出されたとき、先にシート積載手段としての処理トレイ６３０に積載された穿孔シートの孔Ｈに、後続の穿孔シートが重ならない位置である。
【００６４】
このように、制御手段としてのＣＰＵ９００は、シートがシート搬送方向に沿った側端の近くに孔Ｈが形成された穿孔シートＰｈであるとの情報に基づいて、移動手段としての手前幅整合板６４１ａと奥幅整合板６４１ｂとを作動制御する。ＣＰＵ９００は、積載手段としての処理トレイ６３０に穿孔シートが積載される度に、奥幅整合板６４１ｂを整合位置Ａから、穿孔シートの側端部の孔が形成された領域幅Ｗを超えた距離、幅方向に移動させて、穿孔シートＰｈを幅方向に移動させる。この制御は、最終穿孔シートまで（Ｓ９３９でＹＥＳ）行われる。この結果、フィニッシャ１１９は、処理トレイ６３０に先に積載された穿孔シートＰｈの孔Ｈに、処理トレイ６３０に排出される後続の穿孔シートの先端の角部（図９において下流左角部）が係合するのを回避することができる。なお、穿孔シートの側端部の孔が形成された領域幅とは、シート搬送方向のシートの側端から孔Ｈを含む領域ＡＲ（図９において斜線の領域）の幅Ｗのことである。
【００６５】
ＣＰＵ９００は、最終穿孔シートになると（Ｓ９３９でＹＥＳ）、現在の幅整合位置を判断する。処理Ｓ９３４において幅整合位置がＥであるので、ＣＰＵ９００は、手前幅整合板６４１ａと奥幅整合板６４１ｂとを図９において、３０ｍｍ右に移動させて、シート束を幅整合位置Ａに幅方向移動させる（Ｓ９４２）。この結果、シート束の幅中心と処理トレイ６３０に幅中心とが一致する。
【００６６】
ＣＰＵ９００は、幅整合位置Ａに移動させたシート束をスタックトレイ(１８ａ又は１８ｂ)に排出して、以上の制御をジョブが終了（Ｓ９２６でＹＥＳ）するまで繰り返す。
【００６７】
孔のあいた穿孔シートを、ソート処理をする動作を説明する。
【００６８】
ＣＰＵ９００は、処理Ｓ９０１，Ｓ９０２，Ｓ９０３において、孔のあいている穿孔シートＰｈが短辺を先頭に搬送されてきたとき、ＣＰＵ９００のパンチ孔回避制御フラグをＯＮにする（Ｓ９０４）。そして、ＣＰＵ９００は、シート情報がソート処理で、かつ手前整合あるので（Ｓ９３１，Ｓ９３２，Ｓ９３５）、穿孔シートを図９の符号Ｍで示す位置を経て符号Ａの位置で後端整合した後、Ｅの幅整合位置に幅整合する。すなわち、ＣＰＵ９００は、処理Ｓ９３４と同様に、手前整合モータ６４１Ｍａ(図３)と奥整合モータ６４１Ｍｂとを制御して、手前幅整合板６４１ａと奥幅整合板６４１ｂとを実線の待機位置から破線の整合位置に移動させる。この結果、穿孔シートは、幅整合位置Ａよりも、左に３０ｍｍ離れたＥの幅整合位置に幅整合される。
【００６９】
Ｅの幅整合位置は、後続の穿孔シートがＭ、Ａの位置に排出されたとき、先に処理トレイ６３０に積載された穿孔シートの孔に、後続の穿孔シートが重ならない位置である。
【００７０】
このように、ＣＰＵ９００は、穿孔シートＰｈの情報に基づいて、処理トレイ６３０に穿孔シートが積載される度に、奥幅整合板６４１ｂを幅整合位置Ａから、孔が形成された領域幅Ｗを超えた距離、幅方向に移動させて、穿孔シートＰｈを幅方向に移動させる。この制御は、最終穿孔シートまで（Ｓ９３９でＹＥＳ）行われる。この結果、フィニッシャ１１９は、処理トレイ６３０に先に積載された穿孔シートＰｈの孔Ｈに、処理トレイ６３０に排出される後続の穿孔シートの先端の角部（図９において下流左角部）が係合するのを回避することができる。
【００７１】
ＣＰＵ９００は、最終穿孔シートになると（Ｓ９３９でＹＥＳ）、現在の幅整合位置を判断する。処理Ｓ９３５において幅整合位置がＥであるので、ＣＰＵ９００は、手前幅整合板６４１ａと奥幅整合板６４１ｂとを図９において、３０ｍｍ右に移動させて、シート束を幅整合位置Ａに幅方向移動させる。
【００７２】
このように、手前幅整合板６４１ａは、シート搬送方向に対する幅方向の中心位置であり処理トレイの幅中心ＣＬに穿孔シートの幅中心が一致するように、穿孔シートを移動させることが可能になっている。
【００７３】
ＣＰＵ９００は、幅整合位置Ａに移動させたシート束をスタックトレイ(１８ａ又は１８ｂ)に排出する。
【００７４】
しかし、シートの処理がソート処理であり、幅整合位置Ｆ(Ｓ９３６、図１０)に幅整合する処理が残っている（Ｓ９３９でＮＯ）。このため、ＣＰＵ９００は、Ｓ９０１に戻り、Ｓ９０２等を経てＳ９３６において、図１０に示す幅整合位置Ｆにシートを幅整合する。この場合、ＣＰＵ９００は、奥幅整合板６４１ｂを幅整合位置Ａの位置よりも３０ｍｍだけ右に離れた破線の位置に待機させておき、シートが処理トレイ６３０に積載されると、手前幅整合板６４１ａを幅整合位置Ａの位置から３０ｍｍだけ右に移動させる。これによって、シートは、Ｆの幅整合位置に幅整合される。
【００７５】
なお、シートを幅整合位置Ｆに幅整合する場合、奥幅整合板６４１ｂを幅整合位置Ａから３０ｍｍ超えた距離以上離れた位置に待機させたままにしておいて、手前幅整合板６４１ａを幅整合位置Ａと幅整合位置Ｆとを往復移動させてもよい。
【００７６】
Ｆの幅整合位置は、後続の穿孔シートがＭ、Ａの位置に排出されたとき、先に処理トレイ６３０に積載された穿孔シートＰｈ１の孔Ｈに、後続の穿孔シートＰｈ２の先端角部（図１０において下流左角部）が重ならない位置である。
【００７７】
このように、ＣＰＵ９００は、穿孔シートＰｈの情報に基づいて、処理トレイ６３０に穿孔シートが積載される度に、手前幅整合板６４１ａを幅整合位置Ａから、孔が形成された領域幅Ｗを超えた距離、幅方向に移動させて、穿孔シートＰｈを幅方向に移動させる。この制御は、最終穿孔シートまで（Ｓ９３９でＹＥＳ）行われる。この結果、フィニッシャ１１９は、処理トレイ６３０に先に積載された穿孔シートＰｈの孔Ｈに、処理トレイ６３０に排出される後続の穿孔シートの先端の角部（図９において下流左角部）が係合するのを回避することができる。
【００７８】
ＣＰＵ９００は、最終穿孔シートまで（Ｓ９３９でＹＥＳ）シートを幅整合位置Ｆに幅整合する。
【００７９】
ＣＰＵ９００は、最終穿孔シートになると（Ｓ９３９でＹＥＳ）、現在の幅整合位置を判断する。処理Ｓ９３６において幅整合位置がＦであるので、図１０に示すＢの幅整合位置にシートを移動させる（Ｓ９４３）。幅整合位置Ｂは、幅整合位置Ａよりも、右に２０ｍｍずれた位置である。このため、ＣＰＵ９００は、シート束を幅整合位置Ｆから左に１０ｍｍ移動させるべく、手前幅整合板６４１ａと奥幅整合板６４１ｂとを図１０において左に１０ｍｍ移動させて、シート束を幅整合位置Ｂに幅方向移動させる。この結果、シート束の幅中心は、処理トレイ６３０との幅中心ＣＬに対して右に１０ｍｍずれた位置になる。
【００８０】
ＣＰＵ９００は、幅整合位置Ｂに移動させたシート束をスタックトレイ(１８ａ又は１８ｂ)に排出して、以上の制御をジョブが終了（Ｓ９２６でＹＥＳ）するまで繰り返す。
【００８１】
この結果、Ａの整合位置に幅整合されたシート束と、Ｂの整合位置に幅整合されたシート束とがオフセット状態でスタックトレイに積載されることになる。
【００８２】
なお、以上の説明において、Ｅの幅整合位置に幅整合したシート束は、Ｂの位置に移動してから排出し、Ｆの幅整合位置に幅整合したシート束は、Ａの幅整合位置に移動してから排出してもよい。
【００８３】
孔のあいた穿孔シートを、ステイプル処理をする動作を説明する。
【００８４】
ＣＰＵ９００は、Ｓ９０１、Ｓ９０２でＹＥＳ、Ｓ９０３でＹＥＳ、Ｓ９０４、Ｓ９３１、Ｓ９３３の各処理を経て、手前綴じ処理を行う。手前綴じ処理は、図１１のＣの幅整合位置で行われる。図１１の幅整合位置Ｃは、図８の幅整合位置Ｃと同じ幅整合位置である。
【００８５】
図１１において、手前幅整合板６１４ａと奥幅整合板６４１ｂは、実線の位置に待機している。穿孔シートは、符号Ｍで示す位置を経て符号Ａで示す位置に積載される。その後、手前幅整合板６４１ａが実線で示す待機位置に停止したままで、奥幅整合板６４１ｂが処理トレイの幅中心ＣＬを超えて破線で示す位置に移動して、穿孔シートを手前幅整合板６４１ａに押し付けて停止する。その後、奥幅整合板６４１ｂは、次の穿孔シートを受け入れるため整合位置Ａから右に離れた位置に待機する。ＣＰＵ９００は、最終の穿孔シート（Ｓ９３９）まで、この制御を繰り返して穿孔シートを幅整合位置Ｃに幅整合する。
【００８６】
この動作においても、処理トレイ３４０に積載されて幅整合位置Ｃに移動させられた先の穿孔シートに次に排出されるシートが幅整合位置Ａに排出されるので、先の穿孔シートの孔Ｈに後続の穿孔シートの先端角部が係合することがない。
【００８７】
そして、ＣＰＵ９００は、ステイプラ６０１を図１１において左側に移動させて、シート束の上流左角部を綴じる（Ｓ９４０でＹＥＳ、Ｓ９４４）。その後、排紙搬送ローラ対５６０（図３）と後端ストッパ６５０ａとが、綴じられたシート束を幅整合位置Ｂからスタックトレイ１８ａ，１８ｂのいずれか一方に排出する。ＣＰＵは、これらの制御をジョブが終了するまで（Ｓ９２６でＹＥＳ）繰り返す。
【００８８】
ＣＰＵは、図１１のＤの幅整合位置で奥綴じ、或いは、後端の２箇所綴じする場合（Ｓ９３８）、手前整合モータ６４１Ｍａを制御する。図１１において、手前幅整合板６１４ａと奥幅整合板６４１ｂは、実線の位置に待機している。シートは、符号Ｍで示す位置を経て符号Ａに積載される。その後、奥幅整合板６４１ｂが実線で示す待機位置に停止したままで、手前幅整合板６４１ａが処理トレイの幅中心ＣＬを超えて破線で示す位置に移動して、シートを奥幅整合板６４１ｂに押し付けて停止する。その後、手前幅整合板６４１ａは、次のシートを受け入れるため整合位置Ａから左に離れた位置に移動する。ＣＰＵ９００は、最終のシート（Ｓ９２９）まで、この制御を繰り返してシートを幅整合位置Ｄに幅整合する。そして、ＣＰＵ９００は、ステイプラ６０１を図１１において右側に移動させて、シート束の上流右角部を綴じる（Ｓ９４０でＹＥＳ、Ｓ９４４）。或いは、シート束の後端を２箇所綴じする。そして、排紙搬送ローラ対５６０（図３）と後端ストッパ６５０ａとが綴じられたシート束を幅整合位置Ｄからスタックトレイ１８ａ，１ｂ８ｂのいずれか一方に排出する。
【００８９】
なお、幅整合位置Ｃに幅整合されたシート束は、孔が形成されている側の角部を綴じられるが、幅整合位置Ｄに幅整合されたシート束は、孔が形成されていない側の角部を綴じられる。
【００９０】
以上の説明において、処理Ｓ９０３において、ＮＯの場合、穿孔シートの長辺が先頭になって搬送されてきたことになる。この場合、穿孔シートの孔は、長辺に沿って形成されているため、穿孔シートの搬送方向に対して直交する向きに配列されていることになる。このため、処理Ｓ９０３において、ＮＯの場合、ＣＰＵ９００は、後続の穿孔シートの先端角部が先の穿孔シートの孔に係合することが殆どないので、先に処理トレイに積載された穿孔シートを搬送方向に対して直交する方向に移動させる制御をしない。
【００９１】
なお、以上の説明における穿孔シートは、孔が穿孔シートの長辺に沿って形成されているものとしたが、短辺に沿って形成されている穿孔シートであっても、本発明は、適用することができる。この場合、Ｓ９０３において、長辺を先頭にして搬送されてきた穿孔シートを処理することになる。
【００９２】
さらに、本発明は、シートの角部のみに孔が形成されたシートも処理することができる。したがって、本発明は、長辺に沿って孔を形成されて穿孔シートのみに適用されるものではない。
【００９３】
また、プレパンチシートでないシートと穿孔シートとが混ざっている場合においても、本発明を適用することができる。この場合、穿孔シートに後続のプレパンチシートでないシートが積載されても、穿孔シートの孔に後続のプレパンチシートでないシートの係合を防止することができる。
【００９４】
また、本発明は、フィニッシャの上流に、長辺に沿って孔を形成する穿孔手段を配置し、穿孔手段が孔を形成したか否かによりシートを処理するようにしてもよい。
【００９５】
以上説明したフィニッシャは、処理トレイ６３０に既に積載されたシートが穿孔シートである場合、穿孔シートを、孔が形成された領域ＡＲをシートの幅方向に移動させて、後から積載されるシートの先端角部が穿孔シートの孔に係合しないようにしている。
【００９６】
このため、後続のシートが穿孔シートを処理トレイから押し出すことを防止することができる。
【００９７】
また、後続のシートの後端を整合するため、後続のシートが穿孔シート上で逆走して後端ストッパ６５０ａ，６５０ｂに当接するとき、後続のシートの後端角部が穿孔シートの孔に係合するのを防止して、後端シートの後端整合を乱すのを防止することができる。
【００９８】
さらに、フィニッシャは、後続シートの先端角部、或いは後端角部が穿孔シートの孔に係合することが防止することができることによって、後続シートの先端角部、或いは後端角部の折れ曲がりを防止することができる。
【００９９】
また、このようなフィニッシャを備えた画像形成装置は、再度、シートに画像を形成することが少なくなり、画像形成効率を向上させることができる。
【符号の説明】
【０１００】
Ａ，Ｂ，Ｃ，Ｄ，Ｅ，Ｆ：幅整合位置、ＡＲ：シート搬送方向のシートの側端から孔を含む領域、Ｇ：原稿、Ｈ：穿孔シートの孔、Ｐｈ：穿孔シート、Ｗ：領域幅、１００：画像形成装置、１０１：装置本体、１１９：フィニッシャ（シート処理装置）、１２４：画像形成部、５５４：中間排出ローラ対（シート排出手段）、６３０：処理トレイ（シート積載手段）、６４１ａ，６４１ｂ：幅整合板（移動部材）、６５０ａ，６５０ｂ，６５０ｃ：後端ストッパ、９００：ＣＰＵ（制御手段）
【図１】
0005214709.tif 000002
【図２】
0005214709.tif 000003
【図３】
0005214709.tif 000004
【図４】
0005214709.tif 000005
【図５】
0005214709.tif 000006
【図６】
0005214709.tif 000007
【図７】
0005214709.tif 000008
【図８】
0005214709.tif 000009
【図９】
0005214709.tif 000010
【図１０】
0005214709.tif 000011
【図１１】
0005214709.tif 000012